(57)【要約】【課題】  気密性を有する外張り断熱断熱構造を円滑に施工する。【解決手段】  建築物１の屋根材１４の内側に設けられる屋根用断熱パネル１２と、この屋根材１４の下方における化粧板２３の内側に設けられる壁用断熱パネル２２とをまたぐように両断熱材１２、２２の外側に気密シート３０が配設される外張り断熱構造を施工する方法であって、この建築物１の屋根部分１０において、その内側から順に垂木１１、屋根用断熱パネル１２、気密シート３０の屋根側シート部３１、通気垂木１３、及び屋根材１４を積層してこの屋根部分１０から気密シート３０の壁側シート部３２が垂下する状態とする屋根側工程と、その垂下した状態の壁側シート部３２の内側に壁用断熱パネル２２を配置し、壁側シート部３２の外側に化粧板２３を配置する壁側工程とを順に行う。【選択図】      図１
2005264645.tif 000002
【特許請求の範囲】
【請求項１】
建築物の屋根材の内側に設けられる屋根側断熱材と、前記屋根材の下方における壁材の内側に設けられる壁用断熱材とをまたぐように両断熱材の外側に気密シートが配設される外張り断熱構造を施工する方法であって、
前記気密シートとして、略平板状の形状をなし、前記屋根側断熱材の外側面上に配される屋根側シート部と、略平板状の形状をなし、前記壁側断熱材の外側面上に配される壁側シート部と、これらのシート部の間に、折り曲げ可能な折り曲げ部とを有する形状に全体が合成樹脂により一体に形成されたものを用い、
前記建築物の屋根部分に、その内側から順に前記屋根側断熱材、前記気密シートの屋根側シート部、及び前記屋根材を積層して当該屋根部分から前記気密シートの壁側シート部が垂下する状態とする屋根側工程と、
その垂下した状態の壁側シート部の内側に前記壁用断熱材を配置し、当該壁側シート部の外側に前記壁材を配置する壁側工程とを順に行う
ことを特徴とする外張り断熱構造の施工方法。
【請求項２】
建築物の屋根材の内側に設けられる屋根側断熱材と、前記屋根材の下方における壁材の内側に設けられる壁用断熱材との境界部分を外側から覆うための気密シートであって、
略平板状の形状をなし、前記屋根側断熱材の外側面上に配される屋根側シート部と、略平板状の形状をなし、前記壁側断熱材の外側面上に配される壁側シート部と、これらのシート部との間に介在し、折り曲げ可能な折り曲げ部とを有する形状に全体が合成樹脂により一体に成形されていることを特徴とする外張り断熱構造用気密シート。
【請求項３】
請求項２に記載の外張り断熱構造用気密シートにおいて、
前記折り曲げ部は、前記屋根側シート部及び前記壁側シート部よりも薄肉に形成された
ことを特徴とする外張り断熱構造用気密シート。
【請求項４】
請求項３記載の外張り断熱構造用気密シートにおいて、前記折り曲げ部は、その内側面が前記両シート部の内側面よりもシート外側に切り込まれた形状を有することを特徴とする外張り断熱構造用気密シート。
【発明の詳細な説明】
【技術分野】
【０００１】
本発明は、建築物の外張り断熱構造を施工するための施工方法、及び、その施工方法に使用する気密シートに関するものである。
【背景技術】
【０００２】
従来、建築物の断熱性を高める構造としては、柱、骨組等に代表される建築物の躯体の外側に断熱材を配置する外張り断熱構造が広く知られている（例えば特許文献１）。
【０００３】
かかる構造において、より断熱性能を高める方法として、前記断熱材の外側に通気を遮断する気密シートを設置することが行われており、この気密シートを配置する方法としては主に下記の方法が採られている。
【０００４】
まず、前記躯体のうち屋根部分に位置する箇所に断熱材を配置するとともに、前記躯体のうち壁部分に位置する箇所に断熱材を配置する。次に、前記気密シートを前記屋根部分及び前記壁部分にまたがるように配置してこれらの断熱材の外側及びこれらの断熱材の境界部分を覆い、その後、前記気密シートのうち前記屋根側に配置された部分の外側に垂木等の屋根材を配置する。最後に前記気密シートのうち前記壁側に配置された部分の外側に外壁材を配置する。
【特許文献１】特開２００１−３４７２号公報
【発明の開示】
【発明が解決しようとする課題】
【０００５】
前記の方法を採った場合、前記屋根材の配置は、前記断熱材及び前記気密シートを配置した後に行うため、前記屋根材を配置するまでの間、前記気密シートは雨や日光等の外的環境に直接的にさらされることになり、その間に前記気密シートが劣化してシートの一部が破損したり変形したりするおそれがある。
【０００６】
そこで本発明は、かかる不都合が生じることを防止する施工方法及びその施工方法に使用する気密シートを提供することを目的とする。
【課題を解決するための手段】
【０００７】
請求項１記載の発明は、建築物の屋根材の内側に設けられる屋根側断熱材と、前記屋根材の下方における壁材の内側に設けられる壁用断熱材とをまたぐように両断熱材の外側に気密シートが配設される外張り断熱構造を施工する方法であって、前記気密シートとして、略平板状の形状をなし、前記屋根側断熱材の外側面上に配される屋根側シート部と、略平板状の形状をなし、前記壁側断熱材の外側面上に配される壁側シート部と、これらのシート部の間に、折り曲げ可能な折り曲げ部とを有する形状に全体が合成樹脂により一体に形成されたものを用い、前記建築物の屋根部分に、その内側から順に前記屋根側断熱材、前記気密シートの屋根側シート部、及び前記屋根材を積層して当該屋根部分から前記気密シートの壁側シート部が垂下する状態とする屋根側工程と、  その垂下した状態の壁側シート部の内側に前記壁用断熱材を配置し、当該壁側シート部の外側に前記壁材を配置する壁側工程とを順に行うことを特徴とする。
【０００８】
請求項２記載の発明は、建築物の屋根材の内側に設けられる屋根側断熱材と、前記屋根材の下方における壁材の内側に設けられる壁用断熱材との境界部分を外側から覆うための気密シートであって、略平板状の形状をなし、前記屋根側断熱材の外側面上に配される屋根側シート部と、略平板状の形状をなし、前記壁側断熱材の外側面上に配される壁側シート部と、これらのシート部との間に介在し、折り曲げ可能な折り曲げ部とを有する形状に全体が合成樹脂により一体に成形されていることを特徴とする。
【０００９】
請求項３記載の発明は、請求項２に記載の外張り断熱構造用気密シートにおいて、
前記折り曲げ部は、前記屋根側シート部及び前記壁側シート部よりも薄肉に形成された
ことを特徴とする。
【００１０】
請求項４記載の発明は、請求項３記載の外張り断熱構造用気密シートにおいて、前記折り曲げ部は、その内側面が前記両シート部の内側面よりもシート外側に切り込まれた形状を有することを特徴とする。
【発明の効果】
【００１１】
本発明によれば、前記屋根側工程によって、屋根材を施工した後にその屋根部分から垂下する壁側シート部の内外に前記壁用断熱材及び壁材をそれぞれ施工するようにしているので、前記気密シートの屋根側シート部はその施工後直ちに前記屋根材で覆うことが可能であり、また、屋根部分から垂下する壁側シート部も、前記屋根材によって雨等から保護することが可能である。
【００１２】
また、前記気密シートの前記壁側シート部は略平板状の形状を有するように成形されているため、前記屋根側工程を行って前記壁側シートを前記屋根部分から垂下する状態にした後、その平板状をなす壁側シート部の内側及び外側に、それぞれ前記壁用断熱材及び壁材を容易に配置することができる。
【００１３】
さらに、前記気密シートは、この気密シートを折り曲げ可能にする折り曲げ部を有しているため、前記屋根部分と前記壁部分とがなす角度に応じて、前記折り曲げ部を適宜折り曲げることにより前記壁側シートを前記屋根部分から垂下させることが可能となる。
【００１４】
すなわち、前記屋根側シート部及び前記壁側シート部には良好な保形性を確保するのに充分な剛性を与えつつ、この屋根側シート部と壁側シート部との境界部分に、折り曲げ可能な折り曲げ部を形成することにより、施工対象となる建築物の構造に柔軟に対応してシート全体を設置できる。
【００１５】
なお、前記折り曲げ部は、前記屋根側シート部及び前記壁側シート部よりも柔軟な素材を用いて成形してもよい。
【００１６】
もっとも、前記屋根側シート部及び前記壁側シート部よりも薄肉にすることにより前記折り曲げ部を形成する方が、前記折り曲げ部は前記屋根側シート部及び前記壁側シート部と同じ素材を用いて成形することが出来、わざわざ異なる素材を用いて成形する必要がなくなるため、シート成形の際の手間を軽減することが出来る。
【００１７】
また、前記折り曲げ部が、その内側面が前記両シート部の内側面よりもシート外側に切り込まれた形状を有するものであれば、前記折り曲げ部の折り曲げをより円滑に行うことが可能となる。
【発明を実施するための最良の形態】
【００１８】
本発明の実施形態について、図１〜図３を用いて説明する。ただし、本発明は以下の実施形態に限定されることはない。
【００１９】
まず、図１において、この建築物１の構造について説明する。
【００２０】
この建築物１は、外張り断熱構造を採ったものであり、屋根部分１０には、建築物の内側（本図において右側）から順に、垂木１１、屋根用断熱パネル１２、建築物の気密性を確保するための気密シート３０、通気垂木１３、屋根材１４が積層された状態で配置されている。さらに屋根部分１０より下方に位置する壁部分２０には、同じく内側から順に、柱２１、壁用断熱パネル２２、気密シート３０、化粧板２３が配置されている。
【００２１】
屋根用断熱パネル１２及び壁用断熱パネル２２は、各々、面材１２ａ、２２ａと、断熱板１２ｂ、２２ｂとを張り合わせた構造を有している。また、面材１２ａ、２２ａにはベニア板等のような合板が主に使用され、断熱板１２ｂ、２２ｂには、発泡性樹脂等のような断熱性を有する合成樹脂が主に使用されている。
【００２２】
そして、前記屋根用断熱パネル１２及び壁用断熱パネル２２の外側に跨るように気密シート３０が配置されている。すなわち屋根用断熱パネル１２と壁用断熱パネル２２との境界部分は気密シート３０で覆われている。
【００２３】
さらに、この気密シート３０の上側には、屋根側気密シート３５が配置されるとともに、気密シート３０の下側には、壁側気密シート３６が配置されている。そして、粘着テープ４１により、気密シート３０と屋根側気密シート３５との接続、及び、気密シート３０と壁側気密シート３６との接続が行われている。
【００２４】
また、屋根部分１０と壁部分２０との境界部分のうち、垂木１１と柱２１との境界部分においては桁５１が配置され、屋根用断熱パネル１２と壁用断熱パネル２２との境界部分に形成された間隙には、発泡ウレタン等のような断熱性能を有する充填材５２が充填されている。
【００２５】
図２（ａ）、（ｂ）において、気密シート３０についての説明を行うと、この気密シート３０は、屋根側シート部３１と壁側シート部３２と折り曲げ部３３とを有し、これらが一体に成形されている。屋根側シート部３１は、Ｔ１の厚みを有する平板状に形成され、屋根部分１０に配置される。壁側シート部３２は、同じくＴ１の厚みを有する平板状に形成されており、壁部分２０に配置される。折り曲げ部３３は、この屋根側シート部３１と壁側シート部３２との間に形成され、この屋根側シート部３１及び壁側シート部３２よりも薄肉に形成されることにより気密シート３０を折り曲げることを可能にしている。
【００２６】
屋根側シート部３１及び壁側シート部３２の厚みＴ１は、充分な保形性が得られるように設定されている。具体的には、壁側シート部３２を屋根部分１０から垂下する状態で配置したときに（図３（ｃ）参照。詳細は後述。）、壁側シート部３２にしわが生じたり、その端部が丸まったりするのを阻止するのに必要な剛性を持たせるべく、気密シート３０の材質に応じて適宜設定されている。
【００２７】
気密シート３０に使用される素材としては、屋根部分１０の気密性を確保し、かつ、折り曲げ部３３で折り曲げることを可能とするものであれば特に限定されることはないが、主として、ポリエチレン、ＰＥＴ、ＥＶＡ等の合成樹脂が使用される。
【００２８】
折り曲げ部３３は、その内側面３３ａが、屋根側シート部３１及び壁側シート部３２の内側面３１ａ、３２ａよりも気密シート３０の外側に向けて略Ｖ字型に切り込まれるとともに、その外側面３３ｂが、屋根側シート部３１及び壁側シート部３２の外側面３１ｂ、３２ｂよりも気密シート３０の外側に向けて突出した形状を有している。
【００２９】
この外側面３３ｂの突出量と内側面３３ａの切り込み量との比較では、この外側面３３ｂの突出量よりも内側面３３ａの切り込み量の方が大きい。すなわち、折り曲げ部３３のうち、最も薄く形成された箇所の厚みＴ２においては、屋根側シート部３１及び壁側シート部３２の厚みＴ１よりも薄い。
【００３０】
すなわち、気密シート３０は、略全体がＴ１の厚みを有する平板状に形成されており、屋根用断熱パネル１２の外側面上に配される屋根側シート部３１と、屋根用断熱パネル２２の外側面上に配される壁側シート部３２とを有するとともに、これらのシート部３１、３２の間に、これらのシート部３１、３２よりも薄いＴ２の厚みに形成することによりこの気密シート３０を折り曲げ可能にした折り曲げ部３３を有している。
【００３１】
このような建築物１を施工する方法として、図３（ａ）〜（ｅ）を用いて説明する。
【００３２】
まず、図３（ａ）に示すとおり、柱２１の上に桁５１を配置し、桁５１の上に垂木１１を配置する状態で、垂木１１、桁５１、柱２１を配置する。
【００３３】
次に、図３（ｂ）に示すとおり、屋根部分１０において、垂木１１の上に屋根用断熱パネル１２を配置する。このとき、屋根用断熱パネル１２の面材１２ａを垂木１１に対し接触させ、ビス等を用いてこの面材１２ａと垂木１１とを固定する。
【００３４】
さらに、図３（ｃ）に示すとおり、屋根部分１０において、屋根用断熱パネル１２の外側に気密シート３０を配置するとともに、屋根側気密シート３５及び粘着テープ４１を配置する。具体的には、屋根側気密シート３５を屋根用断熱パネル１２の外側に配置するとともに、気密シート３０の屋根側シート部３１を屋根用断熱パネル１２の外側に配置し、壁側シート部３２を屋根部分１０から垂下させ、気密シート３０と屋根側気密シート３５とを粘着テープ４１で接続する。また、折り曲げ部３３を屋根部分１０と壁部分２０との境界部分に配置し、前記壁側シート部３２を屋根部分１０から垂下する状態とすべく、折り曲げる。
【００３５】
またさらに、図３（ｄ）に示すとおり、屋根部分１０において、屋根側シート部３１の外側に、内側から順に、通気垂木１３と、屋根材１４とを配置する。すなわち、屋根側の構造を先に組み上げる。
【００３６】
その後、図４（ｅ）に示すとおり、屋根部分１０から垂下した気密シート３０の壁側シート部３２の内側に、壁側気密シート３６及び壁用断熱パネル２２を配置する。このとき、壁用断熱パネル２２の面材２２ａと柱２１とをビス等を用いて固定する。さらに、屋根用断熱パネル１２と柱２１との境界部分に充填材５２を充填し、壁側シート部３２と壁側気密シート３６とを粘着テープ４１で接続する。
【００３７】
最後に、図１に示すように、前記壁側シート部３２の外側に、化粧板２３を配置することにより、建築物１の施工を完了する。
【００３８】
すなわち、本実施形態においては、垂木１１、桁５１、柱２１を配置した後は、先に、屋根部分１０に、屋根用断熱パネル１２、屋根側シート部３１、通気垂木１３及び屋根材１４を屋根部分１０に配置するとともに、壁側シート部３２を屋根部分１０から垂下させる屋根側工程を先に行い、その後、壁部分２０に壁用断熱パネル２２及び化粧板２３を配置する壁側工程を行っている。
【００３９】
このような実施形態によれば、前記屋根側工程によって、屋根材１４を施工した後に屋根部分１０から垂下する壁側シート部３２の内外に壁用断熱パネル２２及び化粧板２３をそれぞれ施工するようにしているので、前記気密シート３０の屋根側シート部３１の施工後直ちに屋根材１４で覆うことが可能であり、また、屋根部分１０から垂下する壁側シート部３２も、この屋根材１４によって雨等から保護することが可能である。
【００４０】
また、気密シート３０の壁側シート部３２はＴ１の厚みを有する平板状に成形されているため、一定の剛性を得ることが出来、前記屋根側工程を行ってこの壁側シート部３２を屋根部分１０から垂下する状態にした後、この壁側シート部３２の内側に壁用断熱パネル２２を配置してその壁用断熱パネル２２の外側面にこの壁側シート部３２を粘着テープ４１で固定するまでの間に、この壁側シート部３２にしわが生じたり、先端側から丸まったりするのを防止することが可能となる。
【００４１】
したがって、壁側シート部３２の内側に壁用断熱パネル２２を配置するときにおいて、その壁用断熱パネル２２の外側に壁側シート部３２を固定する際、前記しわや丸みを除去するための作業を行う必要がなく、施工時の作業量の負担を軽減することが出来る。すなわち、屋根側シート部３１の内側及び外側に、それぞれ壁用断熱パネル２２及び化粧板２３を容易に配置することができる。
【００４２】
さらに、屋根側シート部３１は、この屋根側シート部３１を折り曲げ可能にする折り曲げ部３３を有しているため、前記屋根部分１０と前記壁部分２０とがなす角度に応じて、この折り曲げ部３３を適宜折り曲げることにより前記壁側シート部３２を前記屋根部分１０から垂下させることが可能となる。
【００４３】
また、前記折り曲げ部３３は、その内側面３３ａが前記屋根側シート部３１及び壁側シート部３２の内側面よりもシート外側に切り込まれているため、この折り曲げ部３３の折り曲げをより円滑に行うことが可能となる。さらに、折り曲げ部３３の外側面３３ｂは前記屋根側シート部３１及び壁側シート部３２の外側面３１ｂ、３２ｂよりもシート外側よりも突出しているため、この折り曲げ部３３の折り曲げをより円滑に行うことが可能となる。
【００４４】
以下の実施形態において、第１実施形態と同一部分には同一符号を付して示し、その重複説明を省略する。
【００４５】
その他実施形態
（１）  折り曲げ部３３は、必ずしもＶ字型の切り込みの形状にする必要がなく、例えば、屋根側シート部３１及び壁側シート部３２よりも柔軟性を有する素材を用い、二色成形することによりこの気密シート３０を形成してもよい。このとき、折り曲げ部３３の厚みは、必ずしも屋根側シート部３１及び壁側シート部３２の厚みＴ１よりも薄肉に設定する必要はなく、屋根側シート部３１及び壁側シート部３２よりも柔軟性を有することが出来る範囲で適宜設定することが可能である。
【００４６】
もっとも、折り曲げ部３３は、前記切り込み等を入れて前記屋根側シート部３１及び壁側シート部３２よりも薄肉に形成するほうが、屋根側シート部３１及び壁側シート部３２と同じ素材を用いることが出来、わざわざ異なる素材を用いて成形する必要がなくなるため、シート成形の際の手間を軽減することが出来る。
【００４７】
（２）  折り曲げ部３３の切り込みの形状は、必ずしもＶ字型の切り込みの形状にする必要がなく、例えばＵ字型や四角形等のような形状であってもよい。すなわち、折り曲げ部３３の厚みを屋根側シート部３１及び壁側シート部３２の厚みＴ１よりも薄くする形状であれば、その形状は特に限定されるものではない。
【００４８】
（３）  気密シート３０の屋根側シート部３１、壁側シート部３２、及び、折り曲げ部３３は、必ずしも成形時において一体成形を行う必要はない。例えば、屋根側シート部３１及び壁側シート部３２を別々に作成し、その後屋根側シート部３１と壁側シート部３２とを粘着テープ等で貼り合わせることにより、一体に形成することによって気密シート３０を成形してもよい。
【図面の簡単な説明】
【００４９】
【図１】本発明の一実施形態にかかる建築物の概略を示した断面図である。
【図２】（ａ）は、本発明の一実施形態にかかる建築物に使用する気密シートの平面図であり、（ｂ）は、その気密シートの断面図である。
【図３】（ａ）〜（ｅ）は、本発明の一実施形態にかかる建築物を施工する方法を示した断面図である。
【符号の説明】
【００５０】
１    建築物
１０  屋根部分
１２  屋根用断熱パネル（屋根側断熱材）
１４  屋根材
２０  壁部分
２１  柱
２２  壁用断熱パネル（壁側断熱材）
２３  化粧材（壁材）
３０  気密シート
３１  屋根側シート部
３２  壁側シート部
３３  折り曲げ部
【図１】
2005264645.tif 000003
【図２】
2005264645.tif 000004
【図３】
2005264645.tif 000005